(57)【要約】【課題】動画撮像中に静止画を撮像した場合に、動画に与える影響を抑制する。【解決手段】動画および静止画を撮像する撮像装置であって、光電気変換素子が受光した光像から静止画または動画を撮像する撮像部と、撮像部が動画撮像中に、静止画を撮像すべき旨の指示を外部から受け付ける指示受付部と、撮像部が動画撮像中に静止画を撮像する場合に限って撮像部が参照する参照条件を格納する条件格納部とを備える。上記撮像装置において、条件格納部は、動画の撮像期間から静止画撮像に割かれる時間の上限を参照条件のひとつとして格納し、撮像部は、動画撮像中に静止画を撮像する場合に、条件格納部を参照して上限を超えない撮像条件で静止画を撮像してもよい。【選択図】図７
2011119796.tif 000002
【特許請求の範囲】
【請求項１】
動画および静止画を撮像する撮像装置であって、
光電気変換素子が受光した光像から静止画または動画を撮像する撮像部と、
前記撮像部が動画撮像中に、静止画を撮像すべき旨の指示を外部から受け付ける指示受付部と、
前記撮像部が動画撮像中に静止画を撮像する場合に限って前記撮像部が参照する参照条件を格納する条件格納部と
を備える撮像装置。
【請求項２】
前記条件格納部は、動画の撮像期間から静止画撮像に割かれる時間の上限を前記参照条件のひとつとして格納し、
前記撮像部は、動画撮像中に静止画を撮像する場合に、前記条件格納部を参照して前記上限を超えない撮像条件で前記静止画を撮像する請求項１に記載の撮像装置。
【請求項３】
前記撮像部は、動画撮像中に静止画を撮像する場合に、前記条件格納部を参照して前記光電気変換素子の露光時間をより短くする撮像条件で前記静止画を撮像する請求項２に記載の撮像装置。
【請求項４】
前記撮像部は、前記条件格納部から前記参照条件を参照して、参照した参照条件に従って画像処理を実行する画像処理部を含む請求項１から請求項３までのいずれかに記載の撮像装置。
【請求項５】
前記画像処理部は、静止画に対する階調補正を実行する請求項４に記載の撮像装置。
【請求項６】
前記条件格納部は、動画撮像中に撮像された静止画に対して実行される階調補正の強さを前記参照条件のひとつとして格納する請求項５に記載の撮像装置。
【請求項７】
前記撮像部は、前記画像処理部が静止画を階調補正することを前提に、前記光電気変換素子の露光時間を決定する請求項５または請求項６に記載の撮像装置。
【請求項８】
前記条件格納部は、動画撮像、静止画撮像および動画撮像中静止画撮像の各々について、個別に撮像条件を格納する請求項１から請求項７までのいずれかに記載の撮像装置。
【請求項９】
前記条件格納部は、前記参照条件の外部からの入力を受け付ける条件入力部を有する請求項１から請求項８までのいずれかに記載の撮像装置。
【請求項１０】
請求項１から請求項９までのいずれかに記載の撮像装置の制御をコンピュータに実行させるプログラム。
【発明の詳細な説明】
【技術分野】
【０００１】
本発明は、撮像装置およびプログラムに関する。
【背景技術】
【０００２】
静止画および動画が撮像でき、更に動画撮像中に静止画を撮像できる撮像装置がある（特許文献１参照）。
【先行技術文献】
【特許文献】
【０００３】
【特許文献１】特開２００８−１４７７１５号公報
【発明の概要】
【発明が解決しようとする課題】
【０００４】
動画および静止画は共通の撮像素子で撮像されるので、動画撮像中に静止画を撮像すると動画の撮像が中断される。静止画は、様々な撮像条件の下に撮像されるので、静止画撮像による動画撮像の中断が長くなりがちであった。
【課題を解決するための手段】
【０００５】
上記課題を解決すべく、本発明の第一態様として、動画および静止画を撮像する撮像装置（１００）であって、光電気変換素子（２２２）が受光した光像から静止画または動画を撮像する撮像部（２０２）と、撮像部が動画撮像中に、静止画を撮像すべき旨の指示を外部から受け付ける指示受付部（２８２）と、撮像部が動画撮像中に静止画を撮像する場合に限って撮像部が参照する参照条件を格納する条件格納部（２８１）とを備える撮像装置が提供される。
【０００６】
また、本発明の第二態様として、上記撮像装置の制御をコンピュータに実行させるプログラムが提供される。
【図面の簡単な説明】
【０００７】
【図１】撮像装置１００の前面を示す斜視図である。
【図２】撮像装置１００の背面を示す斜視図である。
【図３】撮像装置１００の内部機構を示すブロック図である。
【図４】撮像装置１００の設定画面３００を示す図である。
【図５】撮像装置１００の設定画面３００を示す図である。
【図６】撮像装置１００の設定画面３００を示す図である。
【図７】撮像装置１００における撮像の制御手順を示す流れ図である。
【図８】撮像装置１００における画像後処理の制御手順を示す流れ図である。
【図９】撮像装置１００における撮像の制御手順を示す流れ図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、撮像装置１００を前面側から見た様子を示す斜視図である。撮像装置１００は、筐体１１０、撮像レンズ１２０、ファインダ対物窓１３０、シャッタレリーズボタン１４０、電源スイッチ１５０およびモード設定ダイアル１６０を有する。
【００１０】
撮像レンズ１２０およびファインダ対物窓１３０は、筐体１１０の前面に配される。シャッタレリーズボタン１４０、電源スイッチ１５０およびモード設定ダイアル１６０は、筐体１１０の上面に配される。ユーザが撮像装置１００により撮像対象の静止画を撮像する場合、筐体１１０の側端部付近を保持してファインダ対物窓１３０から被写界を確認しつつシャッタレリーズボタン１４０を押し下げる。
【００１１】
モード設定ダイアル１６０は、筐体１１０の表面に直交する軸の周りを回転する。モード設定ダイアル１６０を回転させることにより、撮像装置１００は異なる撮像モードあるいは動作モードで動作する。モード設定ダイアル１６０により選択されるモードには、静止画撮像モード、動画撮像モードの他、再生モード等が含まれる場合もある。
【００１２】
図２は、撮像装置１００の背面を示す斜視図である。撮像装置１００は、筐体１１０の背面に、ファインダ接眼窓１３２、十字キー１７０、表示部１８０、実行ボタン１９０等を備える。ファインダ接眼窓１３２は、ファインダ対物窓１３０から入射した被写界の光像をユーザに見せる。
【００１３】
十字キー１７０、表示部１８０および実行ボタン１９０は、モード設定ダイアル１６０により設定された動作モードに応じて機能が切り替わる。例えば撮像モードでは、撮像対象を表示部１８０に表示させることができる。また、設定モードでは、設定項目、選定値の選択肢等が表示部１８０に表示される。十字キー１７０は、押しボタンスイッチとして使用される他、表示部１８０に表示させたポインタの移動に用いられる。実行ボタン１９０は、ポインタにより指示された事項の確定または実行の指示に用いられる。
【００１４】
図３は、撮像装置１００の内部機構２００を示すブロック図である。内部機構２００は、撮像部２０２、信号処理部２０４および入出力部２０６を有する。
【００１５】
撮像部２０２は、光学系２１０、露出調節部２１６、焦点調節部２１８、イメージセンサ２２２、Ａ／Ｄ変換部２２４、タイミングジェネレータ２２６、露出制御演算部２７４および測光部２７２を含む。光学系２１０は、撮像対象の光像をイメージセンサ２２２に結像させる撮像レンズ１２０の他、絞り装置２１２、シャッタ装置２１４等を含む。
【００１６】
イメージセンサ２２２は、受光した光像に応じて画素毎に電荷を蓄積する。Ａ／Ｄ変換部２２４は、タイミングジェネレータ２２６から供給されるタイミング信号により、イメージセンサ２２２から読み出した電気信号を離散化する。これにより、光学系２１０により結ばれた光像は、デジタル処理できる電気信号に変換される。
【００１７】
測光部２７２は、光像に応じた電気信号から撮像対象の輝度および輝度分布を検出する。露出制御演算部２７４は、測光部２７２が検出した輝度に応じて、イメージセンサ２２２に入射する光像の照度が適切になるように露出調節部２１６を制御する露出制御値を算出する。
【００１８】
露出調節部２１６は、算出された露出制御値に応じて、絞り装置２１２の開口、シャッタ装置２１４の開放時間、イメージセンサ２２２の感度等を変化させて、イメージセンサ２２２に入射する光像の光量を調節する。焦点調節部２１８は、光学系２１０に含まれるレンズの一部を移動させながら光像の空間周波数を監視して、撮像レンズ１２０の合焦位置を検出する。
【００１９】
信号処理部２０４は、動画信号処理部２３２、静止画信号処理部２３４、メモリ２４０、画像処理部２５０、ＭＰＥＧ作成部２６２およびＪＰＥＧ作成部２６４を含む。メモリ２４０は、デジタル信号化された画像情報を格納して一時的に保持すると共に、画像情報対して後処理を実行する場合の作業領域となる。
【００２０】
動画信号処理部２３２は、撮像装置１００が動画撮像モードで撮像している場合に、イメージセンサ２２２から連続的に出力される画像信号を処理して、画像情報としてメモリ２４０に格納する。静止画信号処理部２３４は、撮像装置１００が静止画撮像モードで撮像している場合に、イメージセンサ２２２から間歇的に出力される高解像度且つ高画質な画像信号を処理して、画像情報としてメモリ２４０に格納する。
【００２１】
ＭＰＥＧ作成部２６２は、撮像装置１００が動画撮像モードで撮像する場合に、メモリ２４０に格納された画像情報を規格に応じて圧縮して動画ファイルを生成する。ＪＰＥＧ作成部２６４は、撮像装置１００が静止画撮像モードで撮像した場合に、メモリ２４０に格納された画像情報を規格に応じて圧縮して静止画ファイルを生成する。
【００２２】
なお、ＭＰＥＧおよびＪＰＥＧは、数多くある画像ファイルの規格の一例に過ぎない。ＭＰＥＧ作成部２６２およびＪＰＥＧ作成部２６４は、撮像装置１００の仕様に応じて、他のファイルフォーマットの画像ファイルを作成する要素に置き換えられる。
【００２３】
画像処理部２５０は、上記のようにして生成された動画ファイルまたは静止画ファイルに対する画像後処理を実行する。画像後処理は、明度、色、歪み等の補正の他、種々のフィルタ効果、階調補償等を含む。
【００２４】
なお、例えば階調補償は、イメージセンサ２２２に光像を取り込む場合の露出を、白飛びおよび黒つぶれが生じないように操作して、取り込んだ画像情報に対して画像後処理を実行して画像の階調を復元する。このため、階調補償を実行することを前提に撮像する場合は、イメージセンサ２２２に入射する光像の照度も調整される。即ち、階調補償を実行することが撮像装置１００に設定されている場合、システム制御部２８０は、露出制御演算部２７４にその旨を通知して露出制御値を補正させる。
【００２５】
内部機構２００は、撮像装置１００の上記一連の動作を包括的に制御するシステム制御部２８０を含む。システム制御部２８０は、撮像条件格納部２８１を含む。撮像条件格納部２８１は、動画撮像、静止画撮像、動画撮像中静止画撮像のそれぞれに適用する撮像条件を格納した静止画・通常撮像用参照領域２８３、動画撮像用参照領域２８５および静止画・動画撮像中撮像用参照領域２８７を含む。
【００２６】
システム制御部２８０はまた、入出力部２０６にも接続される。入出力部２０６は、入力受付部２８２、表示駆動部２８４および記録制御部２８６を含む。
【００２７】
入力受付部２８２は、撮像装置１００に対するユーザの操作を検知して、当該操作によるユーザの指示をシステム制御部２８０に通知する。ユーザは、撮像装置１００の表面に配されたシャッタレリーズボタン１４０、モード設定ダイアル１６０、十字キー１７０、実行ボタン１９０等を押しあるいは回転させることにより撮像装置１００を操作する。
【００２８】
表示駆動部２８４は、システム制御部２８０からユーザに通知すべき情報を映像化して、表示部１８０に出力する。表示部１８０に表示される映像は、イメージセンサ２２２が受光した光像、撮像装置１００の各種設定項目、電池、記録媒体２８８等の残量等を含む。
【００２９】
記録制御部２８６は、静止画ファイルまたは動画ファイルを記録媒体２８８に格納し、あるいは記録媒体２８８から読み出す。記録媒体２８８は、撮像装置１００に内蔵される場合も、撮像装置１００対して着脱可能に装着される場合もある。また、有線または無線の信号伝送路を介して、撮像装置１００の外部に記録媒体２８８が配される場合もある。
【００３０】
撮像装置１００は、モード設定ダイアル１６０の操作により、動画撮像モード、静止画撮像モード等の撮像モードを設定される。動画撮像モードが設定された状態で、動画撮像開始を割り当てられた実行ボタン１９０が押し下げられると、入力受付部２８２を通じて動画撮像を開始すべき旨を通知されたシステム制御部２８０は、動画信号処理部２３２を起動させて動画撮像を開始させる。換言すれば、撮像装置１００が動画撮像モードに設定されている場合であっても、実行ボタン１９０が押されるまでは動画撮像は開始されず、撮像装置１００は待機状態となる。
【００３１】
動画撮像中に実行ボタン１９０が再び押し下げられた場合、あるいは、動画撮像中に撮像モードが動画撮像以外のモードに切り替えられた場合、システム制御部２８０は、メモリ２４０に格納された画像情報に対して、ＭＰＥＧ作成部２６２による画像後処理を実行させる。これにより、動画情報は動画ファイルとなり、記録制御部２８６により記録媒体２８８に記録される。
【００３２】
また、モード設定ダイアル１６０の操作により撮像装置１００が静止画撮像モードを設定された場合、システム制御部２８０は、シャッタレリーズボタン１４０の押し下げを検知して、静止画信号処理部２３４を起動させる。これにより、解像度の高い静止画情報がメモリ２４０に格納される。メモリ２４０に対する静止画信号の転送が完了すると、システム制御部２８０はＪＰＥＧ作成部２６４を起動する。これにより、静止画情報は静止画ファイルとなり、記録制御部２８６により記録媒体２８８に記録される。
【００３３】
更に、撮像装置１００において、動画撮像モードで動画を撮像している間に、更に、シャッタレリーズボタン１４０が押し下げられて、静止画を撮像すべき旨がユーザから指示される場合がある。このような場合、システム制御部２８０は、動画信号処理部２３２による処理を中断させて静止画信号処理部２３４を動作させる。こうして撮像された静止画の画像情報が画像後処理に入ると、システム制御部２８０は、再び動画信号処理部２３２を動作させて動画撮像を継続させる。
【００３４】
このように、動画信号処理部２３２および静止画信号処理部２３４は排他的に動作する。このため、動画撮像中に静止画撮像を実行すると撮像された動画に欠損期間が生じる。従って、動画撮像中に静止画を撮像する場合は、動画撮像の再開までの時間をより短くすることが好ましい。
【００３５】
上記のような観点から、例えば、動画撮像により得られる動画ファイルにおけるフレームの再生時間を単位として、静止画撮像のために動画撮像を中断する時間に上限を定めてもよい。撮像時間が制限されているが故に露出不足で撮像された画像は、例えば、階調補償により補償できる。
【００３６】
図４は、撮像に先立って撮像装置１００に撮像条件を設定する設定画面３００を示す図である。撮像条件のひとつとして階調補償を設定する場合、表示部１８０には、設定項目３１０、選択領域３２０、ポインタ３３０および操作ガイド３４０、３５０を含む設定画面３００が表示される。
【００３７】
設定項目３１０は、設定画面３００で設定する対象が階調補償であることを示す。図示の例における設定画面３００は、静止画を撮像する場合の階調補償の条件を設定する画面であることを示す。
【００３８】
選択領域３２０は、この設定項目３１０においてユーザが選択できる選択肢を列挙して表示する。図示の例では、階調補正を実行するか否かに加えて、実行する場合の強さを３段階に選択できることを示す。
【００３９】
ポインタ３３０は、選択領域３２０に表示された選択肢のうち、ユーザが選択した選択肢を示す。ポインタ３３０は十字キー１７０を使って移動させることができる。図示の例では階調補償をしないことが選択されている。
【００４０】
なお、選択領域３２０の右側に表示される操作ガイド３５０は、十字キー１７０の操作でポインタ３３０を上下に移動できることを示す。また、選択領域３２０の左側に表示される操作ガイド３４０は、選択した選択肢を、実行ボタン１９０により確定できることを示す。
【００４１】
上記のようにして確定された階調補償の実行条件は、システム制御部２８０の撮像条件格納部２８１のうち静止画・通常撮像用参照領域２８３に格納される。撮像装置１００が、静止画撮像モードで撮像する場合、システム制御部２８０は、露出制御演算部２７４に静止画・通常撮像用参照領域２８３を参照させて露出制御値の算出に加味させる。
【００４２】
図５は、他の設定画面３００を示す図である。この設定画面３００では、設定項目３１０に表示されるように、動画撮像モードにおける階調補償の条件を設定する。選択領域３２０に表示された選択肢は、図４に示した設定画面と同じだが、図示の例では、中程度の階調補正を実行することが指定されている。
【００４３】
上記のようにして選択され、確定された階調補償の実行条件は、システム制御部２８０の撮像条件格納部２８１のうち動画撮像用参照領域２８５に格納される。撮像装置１００が動画撮像モードで撮像する場合、システム制御部２８０は、露出制御演算部２７４に動画撮像用参照領域２８５を参照させて露出制御値の算出に加味させる。
【００４４】
図６は、また他の設定画面３００を示す図である。この設定画面３００では、設定項目３１０に表示されるように、動画撮像中に静止画撮像をする場合の階調補償の条件を設定する。選択領域３２０に表示された選択肢は、図４および図５に示した設定画面と同じだが、図示の例では、強い階調補正を実行することが指定されている。
【００４５】
上記のようにして選択され、確定された階調補償の実行条件は、システム制御部２８０の撮像条件格納部２８１のうち静止画・動画撮像中撮像用参照領域２８７に格納される。撮像装置１００が動画撮像中に静止画を撮像する場合、システム制御部２８０は、露出制御演算部２７４に静止画・動画撮像中撮像用参照領域２８７を参照させて露出制御値の算出に加味させる。
【００４６】
なお、静止画・動画撮像中撮像用参照領域２８７に格納された撮像条件は、動画撮像モードではなく、動画撮像中に静止画を撮像する場合に限って参照されることに留意されたい。換言すれば、撮像装置１００が動画撮像モードに設定されている場合であっても、動画撮像をしていない期間に静止画を撮像する場合、露出制御演算部２７４は静止画・通常撮像用参照領域２８３を参照して露出制御値を算出する。
【００４７】
図７は、撮像装置１００における撮像の制御手順を示す流れ図である。シャッタレリーズボタン１４０が押されたことを入力受付部２８２から通知された場合、システム制御部２８０は、その時点で撮像装置１００が動画を撮像している最中であるか否かを調べる（Ｓ１０１）。
【００４８】
撮像装置１００が動画撮像中ではない場合、即ち、撮像装置１００が静止画撮像モードである場合、あるいは、動画撮像モードであっても撮像開始が指示されていない場合（Ｓ１０１：ＮＯ）、システム制御部２８０は静止画・通常撮像用参照領域２８３を参照する（Ｓ１０２）。これにより、システム制御部２８０は、通常の静止画撮像において階調補償を実行するか否かを判断する基準となる被写界輝度差の閾値を獲得する。
【００４９】
また、撮像装置が動画撮像中であった場合（Ｓ１０１：ＹＥＳ）、システム制御部２８０は静止画・動画撮像中撮像用参照領域２８７を参照する（Ｓ１０３）。これにより、システム制御部２８０は、動画撮像中に静止画撮像をする場合に、階調補償を実行するか否かを判断する基準となる被写界輝度差の閾値を獲得する。
【００５０】
続いて、システム制御部２８０は測光部２７２を参照して、被写界内の輝度差が獲得した閾値を超えているか否かを調べる（Ｓ１０４）。被写界内の輝度差が閾値を超えていた場合（Ｓ１０４：ＹＥＳ）、システム制御部２８０は、階調補償を実行することを示すフラグをセットする（Ｓ１０５）。
【００５１】
続いて、システム制御部２８０は、画像後処理において実行される階調補正を考慮にいれた露出制御補正を露出制御演算部２７４に指示する（Ｓ１０６）。被写界内の輝度差が閾値を超えていなかった場合（Ｓ１０４：：ＮＯ）、システム制御部２８０は通常の露出制御演算を露出制御演算部２７４に指示する。
【００５２】
こうして、露出制御演算部２７４は、状況に応じた露出制御値を決定して（Ｓ１０７）、当該露出制御値に従って露出調節部２１６を制御する。従って、撮像部２０２は、撮像条件を設定する手順なしに、露出調節部２１６による制御の下に迅速に静止画を撮像する。
【００５３】
このような制御手順により、撮像装置１００による静止画撮像が動画撮像中であった場合は、撮静止画撮像に要する時間がより短くなる撮像条件で撮像を実行させることができる。従って、静止画撮像のために動画撮像が中断される時間が短くなる。
【００５４】
図８は、撮像部２０２による静止画撮像後に実行される画像後処理の制御手順を示す流れ図である。まず、システム制御部２８０は、階調補償実行フラグがセットされているか否かを調べる（Ｓ２０１）。階調補償実行フラグがセットされていた場合（Ｓ２０１：ＹＥＳ）、システム制御部２８０は、画像処理部２５０に階調補償処理を実行させる（Ｓ２０２）。
【００５５】
更に、階調補償処理が完了すると、システム制御部２８０は、階調補償実行フラグをリセットする（Ｓ２０３）。こうして、上記静止画撮像により得られた画像は階調補償される。なお、上記画像後処理は、撮像部２０２が静止画撮像から開放された後に実行されるので、静止画撮像が動画撮像中であった場合は、画像後処理と並行して動画撮像を再開できる。
【００５６】
図９は、撮像装置１００における撮像の他の制御手順を示す流れ図である。この制御手順においても、シャッタレリーズボタン１４０が押されたことを入力受付部２８２から通知された場合、システム制御部２８０は、その時点で撮像装置１００が動画を撮像している最中であるか否かを調べる（Ｓ３０１）。
【００５７】
撮像装置１００が動画撮像中ではない場合、即ち、撮像装置１００が静止画撮像モードである場合、あるいは、動画撮像モードであっても動画撮像開始が指示されていない待機状態である場合（Ｓ３０１：ＮＯ）、システム制御部２８０は静止画・通常撮像用参照領域２８３を参照する（Ｓ３０３）。これにより、システム制御部２８０は、通常の静止画撮像において階調補償を実行するか否かを判断する基準となる被写界輝度差の閾値を獲得する。
【００５８】
一方、撮像装置が動画撮像中であった場合（Ｓ３０１：ＹＥＳ）、システム制御部２８０は静止画・動画撮像中撮像用参照領域２８７を参照する（Ｓ３０３）。更に、この制御手順において、システム制御部２８０は階調補償を実行することを示すフラグをセットする（Ｓ１０５）。
【００５９】
続いて、システム制御部２８０は、画像後処理において実行される階調補正を考慮にいれた露出制御補正を露出制御演算部２７４に指示する（Ｓ３０６）。露出制御演算部２７４は、階調補償を実行することを前提とした露出制御値を決定して（Ｓ３０７）、当該露出制御値に従って露出調節部２１６を制御する。
【００６０】
このように、撮像装置１００による静止画撮像が動画撮像中であった場合は、静止画撮像に要する時間がより短くなる撮像条件で撮像を実行させることができる。なお、ステップＳ３０１において、撮像装置１００が動画撮像中ではないことが判った場合（Ｓ３０１：ＮＯ）のそれ以降の処理（Ｓ３０２〜Ｓ３０７）は、図７に示したステップＳ１０２以降（Ｓ１０２〜Ｓ１０７）の処理と変わられない。
【００６１】
このように、動画撮像中に静止画を撮像する場合には、階調補償を強制的に実行させる制御手順を撮像装置１００に実装してもよい。階調補償を前提に撮像する場合、露出調節部２１６は光学系２１０によるイメージセンサ２２２の露光時間を短くする傾向がある。これにより、動画撮像中の静止画撮像に要する時間を短縮して、動画の欠落を短くできる。
【００６２】
ただし、強制的に階調補償処理を実行する場合も、ユーザは、図６に示した設定画面３００から階調補償の高低を予め設定できる。これにより、静止画撮像におけるユーザの撮像意図を画像に反映させることができる。
【００６３】
なお、上記例では、撮像装置１００において動画撮影中に静止画を撮影する場合、静止画撮影中は、動画の撮影を中断している。しかしながら、例えば、動画の撮影中に、動画を撮影するために得られた露光データを、静止画像信号処理部にも同時に入力する構造としてもよい。この場合、静止画像を撮像するための露光時間は、動画像撮像に設定された露光時間と合わせることが好ましい。
【００６４】
なお、図１および図２に示した撮像装置１００は一例に過ぎない。他の形式の撮像装置１００、即ち、レンズ交換式撮像装置、レフレックス型撮像装置、撮像装置付携帯電話、ビデオカメラ等、様々な撮像装置１００を用いて、上記の処理を実行できる。また、上記一連の処理を実行するプログラムを提供することにより、当該プログラムを実行できる撮像装置、情報処理装置等において同様の処理を実行できる。
【００６５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を、後の処理で用いる場合でない限り、任意の順序で実現しうることに留意されたい。特許請求の範囲、明細書、および図面中の動作フローに関して、便宜上「まず、」、「次に、」等を用いて説明したとしても、この順で実施することが必須であることを意味するものではない。
【符号の説明】
【００６７】
１００  撮像装置、１１０  筐体、１２０  撮像レンズ、１３０  ファインダ対物窓、１３２  ファインダ接眼窓、１４０  シャッタレリーズボタン、１５０  電源スイッチ、１６０  モード設定ダイアル、１７０  十字キー、１８０  表示部、１９０  実行ボタン、２００  内部機構、２０２  撮像部、２０４  信号処理部、２０６  入出力部、２１０  光学系、２１２  絞り装置、２１４  シャッタ装置、２１６  露出調節部、２１８  焦点調節部、２２２  イメージセンサ、２２４  Ａ／Ｄ変換部、２２６  タイミングジェネレータ、２３２  動画信号処理部、２３４  静止画信号処理部、２４０  メモリ、２５０  画像処理部、２６２  ＭＰＥＧ作成部、２６４  ＪＰＥＧ作成部、２７２  測光部、２７４  露出制御演算部、２８０  システム制御部、２８１  撮像条件格納部、２８２  入力受付部、２８３  静止画・通常撮像用参照領域、２８４  表示駆動部、２８５  動画撮像用参照領域、２８６  記録制御部、２８７  静止画・動画撮像中撮像用参照領域、２８８  記録媒体、３００  設定画面、３１０  設定項目、３２０  選択領域、３３０  ポインタ、３４０、３５０  操作ガイド
【図１】
2011119796.tif 000003
【図２】
2011119796.tif 000004
【図３】
2011119796.tif 000005
【図４】
2011119796.tif 000006
【図５】
2011119796.tif 000007
【図６】
2011119796.tif 000008
【図７】
2011119796.tif 000009
【図８】
2011119796.tif 000010
【図９】
2011119796.tif 000011